(57)【特許請求の範囲】
【請求項１】
親機及び子機等からなる並設の電話機からなり、局線等の外来信号の入来により発音装置を発呼する手段と、前記並設の電話機のハンドセットのフック状態を検出する検出手段と、前記外来信号により音響機器のミュート動作及びミュート動作解除信号を送信する制御手段とを有し、前記外来信号により前記検出手段によって並設の一方の電話機のハンドセットがオフ・フックであることが検出されると、この一方の電話機の周囲に配置された前記音響機器にミュート信号を送信する一方、
並設の他方の電話機のハンドセットが前記一方の電話機のハンドセットに優先してオフ・フックであることが検出されると、前記一方の電話機によるミュート信号の送信を抑制してなる音声消去装置。
【請求項２】
前記一方の電話機は親機であり、他方の電話機は子機である請求項１記載の音声消去装置。
【発明の詳細な説明】
【０００１】
【発明の属する技術分野】
本発明は、特に親機及び子機等の並設の電話機を備えた電話装置において着信の際に、周辺の音響機器の音声をミュートさせる音声消去装置に関するものである。
【０００２】
【従来の技術】
一般に、テレビジョン及びステレオ等の音声発生装置が動作している時に電話機に着信があった時に、この電話機が設置された周辺のステレオ等の音声発生装置（音響機器）の音声信号をミュートさせるようにして、着信を確実に認識したり或いは送受信を容易にするようにした電話機における制御装置は、例えば特開平５−８３３３２号公報に記載されているように周知のことである。
【０００３】
【発明が解決しようとする課題】
ところで、上記した電話機は、例えば一対の親機及び子機等からなる並設される電話機において、例えば電話回線及びドアホンの信号が着信するターミナルに近い親機の設置位置より遥かに離間した位置に子機が設置してある場合、入来する外来信号を例えば親機側より先に子機がオフ・フック（取り上げる）した時には、既に外来信号を確認したにも拘らず親機側に近い所に設置されているステレオ等の音声発生装置の音声信号を無用にミュートしてしまう恐れが有り、使い勝手が悪いという問題がある。
【０００４】
【課題を解決するための手段】
本発明は上記課題に鑑みてなされたものであり、以下の１）及び２）の手段より成る。
すなわち、
１）親機及び子機等からなる並設の電話機からなり、局線等の外来信号の入来により発音装置を発呼する手段と、前記並設の電話機のハンドセットのフック状態を検出する検出手段と、前記外来信号により音響機器のミュート動作及びミュート動作解除信号を送信する制御手段とを有し、前記外来信号により前記検出手段によって並設の一方の電話機のハンドセットがオフ・フックであることが検出されると、この一方の電話機の周囲に配置された前記音響機器にミュート信号を送信する一方、
並設の他方の電話機のハンドセットが前記一方の電話機のハンドセットに優先してオフ・フックであることが検出されると、前記一方の電話機によるミュート信号の送信を抑制してなる音声消去装置。
２）前記一方の電話機は親機であり、他方の電話機は子機である請求項１記載の音声消去装置。
【０００５】
【発明の実施の形態】
以下に本発明に係わる音声消去装置の一実施例を図１乃至図５を参照して詳細に説明する。
【０００６】
図１は本発明装置を実施するのに好適な親機側の回路ブロック図を示すものであり、電話回線等の局線１、ドアホン２及び赤外線センサ３等の外来信号が入来するように構成されているものである。２芯の局線１はターミナルＴに接続され、その一方の線はネットワーク回路４のスイッチ４ａに接続されている。
【０００７】
ターミナルＴは、局線の呼び出し信号を検出する着信検出部５、後述するキーパッドからの送信信号によつてネットワーク回路４を介して局線信号（番号）を送出する局線送出部６及びハンドセットのオン・フック及びオフ・フック操作によって上記スイッチ４ａを開閉する回線制御部７等を有する。そして、これら着信検出部５，局線送出部６，回線制御部７は装置全体を制御するマイクロコンピュータ等からなるＣＰＵ１２に接続されている。
【０００８】
ネットワーク回路４の出力は通信信号を処理する通信信号処理部８を介して変調／復調部９及び送受信部１０に供給され、この送受信部１０のアンテナ１１より子機２２側にも信号が送信される。
【０００９】
また、通信信号処理部８は装置全体を制御するＣＰＵ１２に接続される一方、ドアホン２及びハンドセット１３が夫々接続され、外部との音声の送受信が可能となっている。上記ＣＰＵ１２にはドアホン２及び赤外線センサ３の端子が接続されることにより夫々の信号を認識し、この認識された信号によって、ベル音源１４を介してスピーカ１５を鳴動し、制御信号処理部１６，変調／復調部９及び送受信部１０より子機２２側にも信号を送信する。
【００１０】
上記制御信号処理部１６には、子機２２のアンテナ２３から送信される情報信号が送受信部１０，変調／復調部９を介して入来し、この入来した情報信号をＣＰＵ１２に伝送する。子機２２側から送信される情報信号としては、例えば子機が外部に発信するキーパッドの操作情報、子機のハンドセットのフック情報、子機のベル音情報、子機２２による親機の呼出し等の諸情報で、この制御信号処理部１６は親機と子機との制御信号の授受を行うものであり、当然親機側の情報も制御信号処理部１６を介して子機２２側に送信される。
【００１１】
１７はハンドセット１３のオン・フック及びオフ・フック状態を検出するハンドセット検出スイッチ、１８はモード切換部であり、▲１▼ベルが聞き易くなるベル時ミュートモード、▲２▼通話を容易にする通話時ミュートモード及び▲３▼ミュート猶予モードの３のモードを切り換えることができる。
【００１２】
１９はダイヤル信号を発信するためのテンキーを示すキーパッド、２０はステレオ、ＴＶ等の各種の音響機器２４の音声信号をミュート制御するための赤外線等の信号を送信するリモコンである。このリモコン２０は各種の音声発生装置に対応したミュート信号を例えば上記キーパッド１９の操作によって予め入力しておくことにより、各音声発生装置のミュートモードに対応した夫々のミュート信号コードを記憶部２０ａの記憶領域に夫々記憶し、ＣＰＵ１２の制御によって記憶された信号コードを順次送信して周囲の音響機器２４に信号を送信してミュートをかけ、また使用者が予め登録しておいた送信信号をメモリに蓄積する学習機能等を有する。
【００１３】
２１は子機認識部であり、手動の切換スイッチ等で構成されており、親機と子機が夫々別室にある離間した設置状態の時、子機認識部２１による切換スイッチを一方に切り換えることにより、後述するステップでミュート動作が行なわれる。
【００１４】
また、例えば子機が親機に近接した同一室内にある時には、この切換スイッチ２１を手動で他方側に切換えておくことにより、子機２２のハンドセット１３がオフ・フックされても、親機側によるミュート制御信号を優先させるようになっている。
【００１５】
以上の構成は親機側を示し、図２は子機２２の回路ブロック図であり、親機と同一部分には同一の符号を付して具体的な説明は省略する。
【００１６】
例えば親機より局線１を通じて外部に発信するには、オン・フック状態での発信モード設定、またはハンドセット１３をオフ・フックすることにより、これをＣＰＵ１２が認識してその制御信号によって装置は発信モードとなり、キーパット１９から入力される送信信号をＣＰＵ１２を介して、回線制御部７からの信号によってスイッチ４ａをスイッチ・オンし、局線送出部部６によりキーパッド１９からのテンキー情報をネットワーク回路４を介して外部に発信する。また、子機２２からの外部の発信信号は、アンテナ２３よりアンテナ１１に送信され、送受信部１０、変調／復調部９及び制御信号処理部１６を介したＣＰＵ１２によってターミナルＴより外部に発信される。なお、子機のＣＰＵ１２にはタイマー管理部は有していない。
【００１７】
このような構成に係る装置において、親機と子機が夫々別室にある離間した設置状態の時の動作を図３に示すフローチャートに沿って説明する。
【００１８】
例えば局線１（又はドアホン）から呼出し信号がターミナルＴのネットワーク回路４に着信してこれを着信検出部５にて検出するか、または子機（内線）からの呼び出しがあった場合、親機（子機）９のリング音源１４を鳴動してスピーカ１５を発呼させる（ステップＳ30）。
【００１９】
呼び出しが局線１からの場合、モード切換部１８の設定が▲１▼ベルが聞き易くなるベル時ミュートモード、またはそれ以外の▲２▼通話を容易にする通話時ミュートモード、または▲３▼猶予モードかを判断する（ステップＳ31）。
【００２０】
モード切換部１８の設定が▲１▼ベルが聞き易くなるベル時ミュートモード以外のの設定であったならば、ハンドセット１３が取られた（ハンドセット・オフ）かを判断し（ステップＳ32）、ハンドセット１３が取られ（ステップＳ33）、これが親機であることが認識されれば、ミュート動作を行なうために、リモコン２０の記憶部に予め記憶されている音響機器２４に対するミュート信号を送信する（ステップＳ34）。そして、ステップＳ35で通話が終了すればこれを検出してリモコン２０よりミュート解除信号を送信することにより音響機器２４のミュートが解除（ステップＳ36）される。この状態を図５（Ａ）のａに示すように、時間ｔ1 で親機のハンドセット１３が取られてミュート信号が送信され、時間ｔ2 で通話が終了してミュート信号が解除される。
【００２１】
また、上記ステップ33で子機側のハンドセット１３が先に取られたならば、親機からの音響機器２４に対するミュート信号の送信を抑制し、通話の終了を待つ（ステップ38）。この状態を図５（Ａ）のｂに示す。このため子機が親機より先に外線を取った時には親機によるミュート信号の送信を解除することにより、親機の周辺に配置された音響機器２４に無用なミュート動作をかけるようなことはなく、使い勝手が良い。
【００２２】
一方、モード切換部１８にて装置が予め▲１▼ベルが聞き易くなるベル時ミュートモードに設定されていれば、着信時のベル音によって上記ステップＳ31よりいきなりミュート信号が送信される（ステップＳ39）ため、着信により即座に音響機器２４のミュート動作が開始して外線の確認が容易となる。この時のミュート信号の状態を図５（Ｂ）のｃに示す。この時、ステップＳ40でハンドセット１３が取られないままステップＳ41で呼出しが継続していなければ（呼出し中止）、ステップＳ36でミュートが解除される。また、ステップＳ40でハンドセット１３を取り上げられた時、これがステップＳ42で親機であれば、ステップＳ35で通話の終了を待ってミュート信号をステップＳ36で解除する。また、ステップＳ42でｔ3 時間にてハンドセット１３を取ったのが子機であれば、ステップＳ37にて親機のリモコン２０によるミュート解除信号を送信する。この状態を図５（Ｂ）のｄに示す。従って、子機が親機より先に外線を取った時には親機によりミュート信号の送信を解除することにより、親機の周辺に配置された音響機器２４に無用なミュートをかけるようなことはなく、使い勝手が良い。
【００２３】
また、本装置においてミュート猶予モードでＣＰＵ１２のタイマ管理部１２ａによってミュート継続猶予時間（一定時間ｔ4 ）の時間設定がなされている場合について説明する。
【００２４】
この場合、呼出しがあつても時間ｔ4 内はミュート信号を送信しない設定である。そして、ステップＳ32でハンドセット１３が取られていなければ、呼び出しが継続（ステップＳ43）され、ステップＳ44で一定時間（ｔ4 ）経過すれば｛図５（Ｃ）のｅ，ｆに示すタイミング｝ミュート動作が行われ、ステップＳ43で呼出しが中止されればステップＳ30で待つ。
【００２５】
ここで、▲１▼ベルが聞き易くなるベル時ミュートモードであれば、ステップＳ39でミュート信号を送信し、また、▲２▼通話を容易にする通話時ミュートモードであれば、ステップＳ33で取り上げられたハンドセット１３が親機、または子機を判断して上記したステップで適宜信号を送信してミュートする。この時、子機２２側が図５（Ｃ）に示す時間ｔ5 のタイミングでハンドセット１３を取ったならば親機側におけるミュートは解除される。
【００２６】
ここで、呼び出しが内線の場合について図４によって説明する。
【００２７】
呼び出しが内線の場合、図３のステップＳ30より子機２２の上記したモード設定（ステップＳ45）によって、これが▲１▼ベルが聞き易くなるベル時ミュートモード以外に設定された状態で，親機がハンドセット１３を取り上げたならば（ステップＳ46）、親機がミュート信号を送信（ステップＳ47）して親機側の周囲の音響機器２４のミュート動作を行ない、通話終了を待って（ステップＳ48）ミュート信号を解除する（ステップＳ49）。
【００２８】
また、モード切換部１８にて装置が予め▲１▼ベルが聞き易くなるベル時ミュートモードに設定されていれば、着信時のベル音によって上記ステップＳ45よりいきなりステップＳ50にてミュート信号が送信されるため、着信により即座に音響機器２４のミュート動作が開始して外線の確認が容易となる。そして、ステップＳ51で親機がハンドセット１３を取らないままステップＳ52で呼出し継続が絶たれればステップＳ49によるミュート解除信号を送信する。また、親機がハンドセットを取ったならば、ステップＳ48、ステップＳ49に従う。
【００２９】
また更に、上記したようにミュート信号送信猶予時間ｔ4 が設定されていれば、ステップＳ46より呼び出し継続が判断され（ステップＳ53）、ステップＳ54で一定時間が管理され、上記したようなステップで処理されることになる。
【００３０】
なお、センサ３からの検出信号に関してはＣＰＵ１２が一時的にベルモード状態にして、即座にスピーカ１５から発呼させるようにしてある。
【００３１】
従って、外部からの呼び出し信号によって並設の電話機の周囲の音響機器にミュート信号を送信して着信の確認を即座に容易にするか、または、一方の電話機のハンドセットが取れ上げられた時には他方の電話機からのミュート信号を解除することにより、ミュート制御する必要のない音響機器へのミュート信号の送信を抑制する。
【００３２】
【発明の効果】
以上詳述した本発明に係わる音声消去装置によると、並設の電話機の一方の電話機のハンドセットが取り上げられた時には他方の電話機からのミュート信号を解除することにより、ミュート制御する必要のない電話機が設置された周辺の音響機器へのミュート信号の送信を抑制するので、無用なミュート動作を防止するという効果がある。
【図面の簡単な説明】
【図１】本発明の音声消去装置の一実施例を示す親機の回路ブロック図である。
【図２】本発明の音声消去装置の一実施例を示す子機の回路ブロック図である。
【図３】本発明の音声消去装置の動作を示すフローチャート図である。
【図４】本発明の音声消去装置の内線通話時の動作を示すフローチャート図である。
【図５】本発明の音声消去装置のタイミングチャートである。
【符号の説明】
１…局線、２…ドアホン、３…センサ、５…着信検出部、８…通信信号処理部、９…変調／復調部、１０…送受信部、１２…ＣＰＵ、１３…ハンドセット、
１６…制御信号処理部、１９…キーパッド、２０…リモコン、２２…子機。
【図１】
0003692582.tif 000002
【図２】
0003692582.tif 000003
【図３】
0003692582.tif 000004
【図４】
0003692582.tif 000005
【図５】
0003692582.tif 000006